(57)【特許請求の範囲】
【請求項１】
露光用の開口部を有していて第１軸，第２軸，第３軸，第４軸を立設しているシャッタ地板と、被抑止部を有していると共に先羽根と連結していて前記第１軸に回転可能に取り付けられている先羽根用第１駆動部材と、前記第１軸に回転可能に取り付けられていて撮影時にはセット位置から先羽根用駆動ばねの付勢力によって先羽根用第１駆動部材を伴って回転し先羽根に前記開口部を開かせる先羽根用第２駆動部材と、前記先羽根用駆動ばねの付勢力よりも弱くて少なくとも前記先羽根用第２駆動部材を前記先羽根用駆動ばねの付勢力に抗してセット位置へ回転させるときには先羽根用第１駆動部材を追従して回転させる付勢力を有しているセットばねと、後羽根と連結していて前記第２軸に回転可能に取り付けられており撮影時には後羽根用駆動ばねの付勢力によって回転し後羽根に前記開口部を閉じさせる後羽根用駆動部材と、前記第３軸に回転可能に取り付けられており外周面から略前記第３軸に向けて切り込むようにして形成されその両側の端面を第１押動面及び第２押動面とした凹部を有していてセット作動時には初期位置からセット位置まで回転して先羽根用第２駆動部材と後羽根用駆動部材とを前記各駆動ばねの付勢力に抗して回転させカメラに備えられているレリーズボタンを押した後であって実際に撮影が開始する前には初期位置へ復帰させられるセット部材と、抑止部と外周面から略ラジアル方向に突き出すように形成された凸部とを有していて前記第４軸に回転可能に取り付けられており前記セット部材が初期位置からセット位置へ回転するときには該凸部が前記第１押動面に押されて一方へ回転させられ該抑止部を前記被抑止部の作動軌跡内に臨ませてゆきその回転の途中からは該抑止部が前記被抑止部を押すことによって先羽根用第２駆動部材に追従して回転している先羽根用第１駆動部材を前記セットばねの付勢力に抗して逆転させ前記セット部材がセット位置にあるときには前記セットばねの付勢力による前記先羽根用第１駆動部材の回転を抑止して先羽根を前記開口部の開き状態にしておき前記セット部材がセット位置から初期位置へ回転するときには前記セットばねの付勢力によって該抑止部が前記被抑止部に押されることによって前記セット部材に追従して他方へ回転させられ該抑止部が前記被押動部の作動軌跡外まで押されてからは該凸部が前記第２押動面に押されて該他方への回転を続けさせられる抑止部材と、を備えていることを特徴とするデジタルカメラ用フォーカルプレンシャッタ。
【請求項２】
前記セット部材は、セット位置にあるときには、前記第１押動面と前記外周面との境界部位で前記抑止部材の前記凸部を押し、前記抑止部によって前記先羽根用第１駆動部材の回転を抑止させているようにしたことを特徴とする請求項１に記載のデジタルカメラ用フォーカルプレンシャッタ。
【請求項３】
前記セット部材は、前記第１押動面と隣接する前記外周面を第３押動面としており、セット位置にあるときには、該第３押動面で前記抑止部材の前記凸部を押し、前記抑止部によって前記先羽根用第１駆動部材の回転を抑止させているようにしたことを特徴とする請求項１に記載のデジタルカメラ用フォーカルプレンシャッタ。
【請求項４】
前記セット部材は、前記第１押動面と隣接する前記外周面が１８０度を超え且つ凡そ２７０度以内の角度範囲にわたる弧状面として形成されており、前記抑止部材は、前記凸部を第１の凸部としたとき、該第１の凸部に隣接して該第１の凸部よりも短い第２の凸部を有していて、該第２の凸部は、前記セット部材が初期位置とセット位置にあるときは前記セット部材に接しておらず、少なくとも初期位置とセット位置との略中間よりも初期位置側にあるときはその先端が該第１の凸部とは略１８０度反対側で該弧状面に接し得るようにしたことを特徴とする請求項３に記載のデジタルカメラ用フォーカルプレンシャッタ。
【請求項５】
前記セット部材は、前記第３軸に対する取付部を形成している肉厚部から略ラジアル方向へ張り出すようにして形成された肉薄部を有していて、前記凹部は、該肉厚部と該肉薄部との段差面を前記外周面として形成されていることを特徴とする請求項１乃至４のいずれかに記載のデジタルカメラ用フォーカルプレンシャッタ。
【請求項６】
前記先羽根用第１駆動部材は、先羽根が前記開口部を閉じているとき、前記被抑止部の近傍部位が前記抑止部によって押される事態が発生しても、その押された力によって、前記セットばねの付勢力に抗して回転させられる形状に、該近傍部位が形成されていることを特徴とする請求項１乃至５のいずれかに記載のデジタルカメラ用フォーカルプレンシャッタ。
【発明の詳細な説明】
【技術分野】
【０００１】
本発明は、デジタルカメラ用のフォーカルプレンシャッタに関する。
【背景技術】
【０００２】
デジタルカメラ用のフォーカルプレンシャッタの中には、先羽根と後羽根という二つのシャッタ羽根を備えたものがある。そして、この種のフォーカルプレンシャッタは、かつては、フィルムを使用するカメラ用のフォーカルプレンシャッタの場合と同様に、先羽根と後羽根が、先羽根用駆動部材と後羽根用駆動部材に連結されており、撮影待機状態であるセット状態においては、先羽根が露光開口を覆い、後羽根が露光開口から退いているように構成されていたため、この種のフォーカルプレンシャッタを備えているデジタルカメラは、光学ファインダを備えているのが普通であった。
【０００３】
また、このよう構成のフォーカルプレンシャッタは、撮影時には、それらの二つの駆動部材が先羽根用駆動ばねと後羽根用駆動ばねの付勢力によって順に回転させられ、先羽根が露光開口を開いてゆき、後羽根がその後から閉じていくことによって、ＣＣＤ等の撮像素子を露光していくように構成されている。そして、先羽根と後羽根の露光作動が終了して、後羽根が露光開口を覆った状態になると、撮像素子から撮像情報が情報処理回路を介して記憶装置に記憶され、その後、直ちにセット作動が行われるが、そのセット作動は、初期位置から回転させられるセット部材が、それらの二つの駆動部材を、各々の駆動ばねの付勢力に抗してセット位置まで逆転させるようにしている。
【０００４】
また、それらの二つの駆動部材を、次の撮影が行われるまで、セット状態に保っておくための構成としては、係止タイプと言われているものと、ダイレクトタイプと言われているものが知られている。即ち、係止タイプというのは、各駆動部材が、セット位置で各々の係止部材によって係止されているようにしたものである。そのため、セット部材は、セット作動によって各駆動部材がセット位置で各々の係止部材によって係止され得るようになると、直ちに初期位置へ復帰するように構成することも可能であるし、カメラのレリーズ時に、先羽根の開き作動に先立って初期位置へ復帰するように構成することも可能である。そして、先羽根と後羽根の露光作動は、各々の係止部材が夫々の電磁石に操作され、各駆動部材の係止を順に解くことによって行われる。
【０００５】
他方、ダイレクトタイプというのは、二つの駆動部材が、各々鉄片部材を備えており、セット部材は、セット作動によって、それらの鉄片部材が、励磁されていない各々の電磁石に接触した状態になるまで二つの駆動部材を回転させる構成をしているため、その後も初期位置へは復帰せず、その状態を保っていて、カメラのレリーズ時に、各々の電磁石が励磁されそれらの鉄片部材が吸着保持されると、初期位置へ復帰するようにしたものである。そして、先羽根と後羽根の露光作動は、その後、各々の電磁石が消磁し、各鉄片部材の吸着保持力を順に解くことによって行われる。
【０００６】
ところで、最近では、この種のフォーカルプレンシャッタを備えたデジタルカメラの場合にも、レンズシャッタを備えているデジタルカメラの場合と同様に、液晶表示装置などを用いた電子ファインダを備えることが要求され、かつてのように、光学ファインダを備えているだけではなく、光学ファインダと電子ファインダの両方を備えたカメラや、電子ファインダだけを備えたカメラが好まれるようになってきた。しかも、電子ファインダを備える場合には、撮影用の撮像素子を、電子ファインダ用の撮像素子と兼用させるのが好ましい。
【０００７】
しかし、二つのシャッタ羽根を備えているフォーカルプレンシャッタにおいて、そのように、撮像素子を兼用させる場合には、セット状態では、先羽根と後羽根の両方を露光開口から退いた状態にしておき、撮影に際してレリーズボタンが押されると、その初期段階では、先羽根を露光開口を覆った状態に作動させ、その次の段階で、先羽根と後羽根とを順に露光作動させるように構成する必要がある。そこで、そのような作動を可能にするための実用的なデジタルカメラ用フォーカルプレンシャッタが、下記の特許文献１に記載されている。
【０００８】
即ち、特許文献１に記載されているデジタルカメラ用フォーカルプレンシャッタの場合には、上記した先羽根用駆動部材を、シャッタ地板に対して同軸上に回転可能に取り付けられた二つの駆動部材で構成するようにし、一方の先羽根用第１駆動部材は、先羽根を連結していて、セットばねの付勢力によってセット作動方向へ回転し得るようにし、他方の先羽根用第２駆動部材は、上記の先羽根用駆動ばねの付勢力によって先羽根用第１駆動部材を伴い露光作動方向へ回転し得るように構成している。
【０００９】
また、シャッタ地板には、セット部材に連動してセット部材とは反対方向に回転させられる抑止部材が取り付けられていて、その抑止部材は、セット部材がセット作動時に初期位置から回転して先羽根用第２駆動部材と後羽根用駆動部材とを各々の駆動ばねの付勢力に抗して回転させるときには、セットばねの付勢力によって先羽根用第２駆動部材に追従して回転している先羽根用第１駆動部材を、その回転の途中から逆転させるようにしており、また、セット完了状態においては、先羽根が露光開口から退いている状態に先羽根用第１駆動部材を抑止しており、さらに、撮影時にカメラのレリーズボタンが押され、その初期段階でセット部材が初期位置へ復帰するときには、先羽根用第１駆動部材がセットばねの付勢力によって回転し先羽根が露光開口を覆えるようにしている。本発明は、この種のデジタルカメラ用フォーカルプレンシャッタの改良に関するものである。
【００１０】
尚、この特許文献１には、そのように構成されたダイレクトタイプの実施例が二つ記載されているが、この特許文献１に記載されている発明は、係止タイプとして実施することも可能なものである。また、この特許文献１に記載されているフォーカルプレンシャッタは、電子ファインダだけを備えたカメラに採用することが可能であるが、そのほか、ハーフミラーを備えていて、切換え操作なしに光学ファインダと電子ファインダとのいずれか一方を使用して撮影を行えるようにしたカメラにも採用することが可能であるし、可動ミラーを備えていて、切換え操作によって光学ファインダと電子ファインダとのいずれか一方を使用して撮影を行えるようにしたカメラにも採用することが可能である。
【先行技術文献】
【特許文献】
【００１１】
【特許文献１】特開２００７−２９８５４４号公報
【発明の概要】
【発明が解決しようとする課題】
【００１２】
上記の特許文献１には、二つの実施例が記載されているが、それらの実施例の異なるところは、セット部材（２７）と抑止部材（２８，４１）とを連動させるための構成にある。即ち、実施例１の場合には、抑止部材（２８）に設けられた二股の係合部（２８ｂ）がセット部材（２７）に設けられたピン状の突起部（２７ｅ）を挟持しているようにすることによって、抑止部材（２８）がセット部材（２７）に連動して回転し得るように構成されているのに対し、実施例２の場合には、抑止部材（４１）に設けられた係合部（４１ｂ）を、ばね（４２）の付勢力によって、セット部材（２７）のピン状の突起部（２７ｅ）に接触させることによって、抑止部材（４１）がセット部材（２７）に連動して回転し得るように構成されている。
【００１３】
ところで、この種のフォーカルプレンシャッタは、最近のデジタルカメラの大きさや重量からも推察できるように、構成部材の多くが合成樹脂製であって、全体として非常に小型でコンパクトに製作されている。そのため、上記のセット部材（２７）も合成樹脂製であるし、ピン状の突起部（２７ｅ）は、実際には極めて細いものになる。
【００１４】
そのため、上記の実施例１の構成の場合には、細いピン状の突起部（２７ｅ）が、二股の係合部（２８ｂ）の溝の端面を押すことになり、特に、セット作動時には、セットばねの付勢力に抗して先羽根用第１駆動部材を逆転させなければならないことから、突起部（２７ｅ）が変形したり破壊されてしまうという問題点がある。また、突起部（２７ｅ）を太くすると、突起部（２７ｅ）と二股の係合部（２８ｂ）との係合が外れないようにするためには、抑止部材（２８）を必要以上に大きくすることになり、他のシャッタ構成部材のレイアウトに影響を与えてしまうという問題点がある。
【００１５】
また、上記の実施例２の構成の場合には、突起部（２７ｅ）の変形や破壊を防止するために、抑止部材（４１）を大きくせずに、突起部（２７ｅ）を太くすることが可能である。しかしながら、この実施例２の場合には、抑止部材（４１）の係合部（４１ｂ）を、セット部材（２７）の突起部（２７ｅ）に常に接触させておくようにするために、ばね（４２）が必要になるため、シャッタ地板にばね掛け部を設けることも含め、コスト上で不利になるという問題点がある。
【００１６】
本発明は、このような問題点を解決するためになされたものであり、その目的とするところは、特許文献１に記載の従来例に比較して、シャッタ全体の配置構成に影響を与えることなく、耐久性とコストとの両面で優れた、セット部材と抑止部材との連動構成を有するデジタルカメラ用のフォーカルプレンシャッタを提供することである。
【課題を解決するための手段】
【００１７】
上記の目的を達成するために、本発明のデジタルカメラ用フォーカルプレンシャッタは、露光用の開口部を有していて第１軸，第２軸，第３軸，第４軸を立設しているシャッタ地板と、被抑止部を有していると共に先羽根と連結していて前記第１軸に回転可能に取り付けられている先羽根用第１駆動部材と、前記第１軸に回転可能に取り付けられていて撮影時にはセット位置から先羽根用駆動ばねの付勢力によって先羽根用第１駆動部材を伴って回転し先羽根に前記開口部を開かせる先羽根用第２駆動部材と、前記先羽根用駆動ばねの付勢力よりも弱くて少なくとも前記先羽根用第２駆動部材を前記先羽根用駆動ばねの付勢力に抗してセット位置へ回転させるときには先羽根用第１駆動部材を追従して回転させる付勢力を有しているセットばねと、後羽根と連結していて前記第２軸に回転可能に取り付けられており撮影時には後羽根用駆動ばねの付勢力によって回転し後羽根に前記開口部を閉じさせる後羽根用駆動部材と、前記第３軸に回転可能に取り付けられており外周面から略前記第３軸に向けて切り込むようにして形成されその両側の端面を第１押動面及び第２押動面とした凹部を有していてセット作動時には初期位置からセット位置まで回転して先羽根用第２駆動部材と後羽根用駆動部材とを前記各駆動ばねの付勢力に抗して回転させカメラに備えられているレリーズボタンを押した後であって実際に撮影が開始する前には初期位置へ復帰させられるセット部材と、抑止部と外周面から略ラジアル方向に突き出すように形成された凸部とを有していて前記第４軸に回転可能に取り付けられており前記セット部材が初期位置からセット位置へ回転するときには該凸部が前記第１押動面に押されて一方へ回転させられ該抑止部を前記被抑止部の作動軌跡内に臨ませてゆきその回転の途中からは該抑止部が前記被抑止部を押すことによって先羽根用第２駆動部材に追従して回転している先羽根用第１駆動部材を前記セットばねの付勢力に抗して逆転させ前記セット部材がセット位置にあるときには前記セットばねの付勢力による前記先羽根用第１駆動部材の回転を抑止して先羽根を前記開口部の開き状態にしておき前記セット部材がセット位置から初期位置へ回転するときには前記セットばねの付勢力によって該抑止部が前記被抑止部に押されることによって前記セット部材に追従して他方へ回転させられ該抑止部が前記被押動部の作動軌跡外まで押されてからは該凸部が前記第２押動面に押されて該他方への回転を続けさせられる抑止部材と、を備えているようにする。
【００１８】
その場合、前記セット部材は、セット位置にあるときには、前記第１押動面と前記外周面との境界部位で前記抑止部材の前記凸部を押し、前記抑止部によって前記先羽根用第１駆動部材の回転を抑止させているようにしてもよい。また、前記セット部材は、前記第１押動面と隣接する前記外周面を第３押動面としており、セット位置にあるときには、該第３押動面で前記抑止部材の前記凸部を押し、前記抑止部によって前記先羽根用第１駆動部材の回転を抑止させているようにしてもよい。
【００１９】
また、前記セット部材は、前記第１押動面と隣接する前記外周面が１８０度を超え且つ凡そ２７０度以内の角度範囲にわたる弧状面として形成されており、前記抑止部材は、前記凸部を第１の凸部としたとき、該第１の凸部に隣接して該第１の凸部よりも短い第２の凸部を有していて、該第２の凸部は、前記セット部材が初期位置とセット位置にあるときは前記セット部材に接しておらず、少なくとも初期位置とセット位置との略中間よりも初期位置側にあるときはその先端が該第１の凸部とは略１８０度反対側で該弧状面に接し得るようにすると、連写を行うときに有利な構成となる。
【００２０】
また、本発明のデジタルカメラ用フォーカルプレンシャッタにおいては、前記セット部材は、前記第３軸に対する取付部を形成している肉厚部から略ラジアル方向へ張り出すようにして形成された肉薄部を有していて、前記凹部は、該肉厚部と該肉薄部との段差面を前記外周面として形成されているようにしてもよい。更に、前記先羽根用第１駆動部材は、先羽根が前記開口部を閉じているとき、前記被抑止部の近傍部位が前記抑止部によって押される事態が発生しても、その押された力によって、前記セットばねの付勢力に抗して回転させられる形状に、該近傍部位が形成されているようにすると、誤動作によって、セット部材がセット作動を開始させられた場合でも、抑止部材が変形されたり破壊されてしまうようなことがない。
【発明の効果】
【００２１】
本発明は、先羽根と後羽根とを備えていて、撮影前には、電子ファインダによって被写体像を観察することが可能であり、撮影時には、先羽根が露光開口を開き始めることによって撮影露光を開始し、後羽根が露光開口を閉じ終わることによって撮影露光を終了するようにしたデジタルカメラ用フォーカルプレンシャッタにおいて、セット部材と抑止部材とを独特な構成によって連動させるようにしたものであるため、特許文献１に記載の従来例に比較して、シャッタ全体の配置構成に何ら影響を与えることなく、耐久性の点からもコストの点からも優れているという特徴を有している。
【図面の簡単な説明】
【００２２】
【図１】露光作動終了直後の状態を示した実施例１の平面図である。
【図２】図１の約左半分を拡大し、一部の構成部材を局部的に断面で示した平面図である。
【図３】図２を右側から見て、一部の構成部材を断面で示した側面図である。
【図４】作動説明に必要な構成部材だけを、図２と同じ状態で示した平面図である。
【図５】セット作動の途中の状態を、図４と同じようにして示した平面図である。
【図６】図５の状態よりも進んだセット作動の途中状態を、図４及び図５と同じようにして示した平面図である。
【図７】セット作動完了状態を、図４〜図６と同じようにして示した平面図である。
【図８】カメラのレリーズボタンが押され、露光作動に先立って、セット部材がセット位置から初期位置へ復帰する作動の初期段階の状態を、図４〜図７と同じようにして示した平面図である。
【図９】セット部材が初期位置へ復帰し、露光作動が開始される直前の状態を、図４〜図８と同じようにして示した平面図である。
【図１０】図８と同じ作動状態を示した実施例２の要部平面図である。
【図１１】連写を行う場合に、図１０の状態において生じることがあり得る作動状態を説明するための要部平面図である。
【図１２】実施例１の構成において連写を行う場合、図８の状態において生じることがあり得る作動状態を説明するための要部平面図である。
【図１３】図１２の状態の直後に生じる状態を説明するための要部平面図である。
【発明を実施するための形態】
【００２３】
本発明の実施の形態を、図示した二つの実施例によって説明する。尚、本発明のデジタルカメラ用フォーカルプレンシャッタは、ダイレクトタイプのフォーカルプレンシャッタとしても、係止タイプのフォーカルプレンシャッタとしても実施することが可能であるが、実施例は、いずれも、ダイレクトタイプのフォーカルプレンシャッタとして構成したものである。そのため、係止タイプのフォーカルプレンシャッタとして実施する場合を、実施例１の説明後に簡単に説明する。また、実施例２の構成は、実施例１の構成と殆ど同じである。そのため、実施例２を説明するための図１０，図１１は、その異なる構成部分だけを示したものである。
【実施例１】
【００２４】
先ず、主に図１〜図４を用いて本実施例の構成を説明する。尚、本実施例の説明においては、本実施例のフォーカルプレンシャッタをカメラに組み込んだとき、図１の手前側が被写体側（即ち、撮影レンズ側）であり、図１の背面側が撮像装置側であることを前提にして説明するが、周知のように、デジタルカメラの場合には、図１の手前側が撮像装置側になり、図１の背面側が被写体側になることもある。また、図３は、あくまでも図１，図２，図４に示されている構成部材の重なり関係を理解し易くするために、便宜的に示したものである。
【００２５】
図１において、シャッタ地板１の略中央部には、長方形を横長にした露光用の開口部１ａが形成されている。また、周知のように、シャッタ地板１の背面側には、所定の間隔を空けて、中間板２と補助地板３が順に取り付けられており、シャッタ地板１と中間板２との間に先羽根の羽根室を構成し、中間板２と補助地板３との間に後羽根の羽根室を構成している。そして、中間板２と補助地板３にも、開口部１ａと類似ではあるが、一部異なる形状をした開口部２ａ，３ａが形成されている。そして、露光開口の形状は、それらの開口部１ａ，２ａ，３ａの合成によって形成されることもあるが、本実施例においては、開口部１ａの形状が露光開口の形状となっている。尚、補助地板３の平面形状の外形は、シャッタ地板１の外形と略同じである。また、図３には、中間板２が示されていない。
【００２６】
図１，図２，図４において、開口部１ａの左側の領域には、円弧状の二つの長孔１ｂ，１ｃが形成されており、それらの下方端部には、平面形状が略Ｃ字状をした周知のゴム製の緩衝部材４，５が取り付けられている。また、補助地板３にも、長孔１ｂ，１ｃと重なる領域に、略同じ形状の長孔３ｂ，３ｃ（図３参照）が形成されている。
【００２７】
シャッタ地板１には、軸１ｄ，１ｅ，１ｆ，１ｇ，１ｈ，１ｉ，１ｊ，１ｋが立設されている。それらのうち、軸１ｄ，１ｅ，１ｈ，１ｉは、シャッタ地板１の表面側に立設され、軸１ｊ，１ｋは、図３及び図４から分かるように、シャッタ地板１の背面側に立設されていて、その先端を補助地板３に形成された孔に挿入している。また、軸１ｆ，１ｇは、図３から分かるようにシャッタ地板１を貫通していて、シャッタ地板１の表面側と背面側の両方に軸部が設けられており、背面側の軸部の先端を補助地板３に形成された孔に挿入している。更に、軸１ｉは、図３から分かるように、円盤状の頭部を有する軸部材であり、その先端をシャッタ地板１に形成された孔に圧入している。
【００２８】
上記の軸１ｄ，１ｅの先端には、薄い金属製の支持板６と、プリント配線板７とが、支持板６をシャッタ地板１側にして、ねじ８，９によって取り付けられている。しかし、プリント配線板７は、図１及び図２において、その外形だけを二点鎖線で示してある。支持板６は、特開平９−１３３９４４号公報に記載されている「取付基板」と類似の形状をしており、シャッタ地板１側に折り曲げて形成した二つのラチェット爪６ａ，６ｂと、ばね掛け部６ｃを有しているほか、シャッタ地板１側に折り曲げて特殊な形状に形成された複数の折曲部によって先羽根用電磁石と後羽根用電磁石を取り付けている。
【００２９】
そして、それらのうち、二つのラチェット爪６ａ，６ｂは、図３にその一部だけが示されているように、先端に二つずつ爪部６ａ−１，６ａ−２，６ｂ−１，６ｂ−２を形成している。また、先羽根用電磁石と後羽根用電磁石は同じ構成をしており、二つの脚部を有するＵ字形の鉄芯部材１０，１１と、コイル１２，１３を巻回したボビン１４，１５とからなっている。そして、鉄芯部材１０，１１は、一方の脚部にボビン１４，１５を嵌装させており、各々の両方の脚部の先端を磁極部としている。尚、図４〜図９には、鉄芯部材１０，１１の配置状態が、二点鎖線で示されている。
【００３０】
上記の軸１ｆ，１ｇは、図３から分かるように、各々、シャッタ地板１の表面側の軸部に、直径の大きい部位と直径の小さな部位を有しており、先端を、支持板６とプリント配線板７に設けた孔に挿入している。そして、軸１ｆは、シャッタ地板１側に形成した直径の大きな部位に、先羽根用第１駆動部材１６と先羽根用第２駆動部材１７を回転可能に取り付けており、支持板６側に形成した直径の小さな部位に、ラチェット部材１８を回転可能に取り付けている。他方、軸１ｇは、シャッタ地板１側に形成した直径の大きな部位に、後羽根用駆動部材１９を回転可能に取り付けていて、支持板６側に形成した直径の小さな部位に、ラチェット部材２０を回転可能に取り付けている。
【００３１】
そして、先羽根用第２駆動部材１７は、筒部１７ａと、被押動部１７ｂと、取付部１７ｃと、押動部１７ｄとを有しており、その筒部１７ａを、軸１ｆに形成された上記の直径の大きい部位に回転可能に嵌合させている。また、図２においてはその一部を切断して示しているように、取付部１７ｃの内部には、鉄片部材２１と圧縮ばね２２とが収容されている。そして、鉄片部材２１は、軸部２１ａの一端に円盤状をした頭部２１ｂを有し、軸部２１ａの他端には鉄片部２１ｃを取り付けており、軸部２１ａに嵌装した圧縮ばね２２によって、鉄片部２１ｃを取付部１７ｃ内から突き出すように付勢されている。
【００３２】
また、先羽根用第１駆動部材１６は、筒部１６ａと、被抑止部１６ｂと、被押動部１６ｃと、駆動ピン１６ｄとを有していて、図３から分かるように、その筒部１６ａを、先羽根用第２駆動部材１７の筒部１７ａの外周に回転可能に嵌合させている。そして、被押動部１６ｃは、支持板６側に設けられており、先羽根用第２駆動部材１７の押動部１７ｄによって押され得るようになっている。また、駆動ピン１６ｄは、シャッタ地板１側に設けられていて、シャッタ地板１の長孔１ｂに挿入されている。この駆動ピン１６ｄは、根元側の部位の断面が円形であって、上記の緩衝部材４に当接し得るようになっている。また、先端側の部位の断面は砲弾状をしていて、後述のように羽根室内で先羽根に連結されており、その最先端を補助地板３の長孔３ｂに挿入している。
【００３３】
また、上記のラチェット部材１８は、図３に示されているように、その外周に二つのラチェット歯１８ａ，１８ｂを形成している。そして、それらのラチェット歯１８ａ，１８ｂの歯は、両方とも同じピッチで形成されているが、位相は半ピッチだけずれていて、ラチェット歯１８ａは、上記のラチェット爪６ａの爪部６ａ−１と係脱し得るようになっており、ラチェット歯１８ｂは、上記のラチェット爪６ａの爪部６ａ−２と係脱し得るようになっている。
【００３４】
また、上記の先羽根用第２駆動部材１７の筒部１７ａには、図３に示されているように、先羽根用駆動ばね２３が緩く嵌装されていて、一端を先羽根用第２駆動部材１７の図示していないばね掛け部に掛け、他端をラチェット車１８の図示していないばね掛け部に掛けて、図１及び図２において、先羽根用第２駆動部材１７を時計方向へ回転させるように付勢している。そして、周知のように、この先羽根用駆動ばね２３の付勢力は、ラチェット車１８を回転させて、ラチェット爪６ａとの係合位置を変えることによって調整できるようになっている。
【００３５】
他方、軸１ｇに回転可能に取り付けられている上記の後羽根用駆動部材１９は、筒部１９ａと、取付部１９ｂと、駆動ピン１９ｃと、を有しているほか、ローラー１９ｄを回転可能に取り付けていて、筒部１９ａを軸１ｇに形成された上記の直径の大きい部位に回転可能に嵌合させている。また、図２において一部を切断して示してあるように、取付部１９ｂの内部には、鉄片部材２４と圧縮ばね２５が収容されている。そして、その鉄片部材２４は、上記の鉄片部材２１と同様に、軸部２４ａの一端に円盤状をした頭部２４ｂを有し、軸部２４ａの他端には鉄片部２４ｃを取り付けており、軸部２４ａに嵌装した圧縮ばね２５によって、鉄片部２４ｃを取付部１９ｂの内部から突き出すように付勢されている。
【００３６】
また、駆動ピン１９ｃは、シャッタ地板１側に設けられていて、シャッタ地板１の長孔１ｃに挿入されている。そして、この駆動ピン１９ｃも、上記の駆動ピン１６ｄと同様に、根元側の部位の断面が円形であって、上記の緩衝部材５に当接し得るようになっている。また、先端側の部位の断面は砲弾状をしていて、後述のように羽根室内で後羽根に連結されており、その最先端を補助地板３の長孔３ｃに挿入している。
【００３７】
また、上記のラチェット部材２０は、図３から分かるように、ラチェット部材１８と同じ形状をしており、その外周に二つのラチェット歯２０ａ，２０ｂを形成している。そして、それらのラチェット歯２０ａ，２０ｂの歯は、両方とも同じピッチで形成されているが、位相は半ピッチだけずれていて、ラチェット歯２０ａは、上記のラチェット爪６ｂの爪部６ｂ−１と係脱し得るようになっており、ラチェット歯２０ｂは、上記のラチェット爪６ｂの爪部６ｂ−２と係脱し得るようになっている。
【００３８】
また、上記の後羽根用駆動部材１９の筒部１９ａには、図３に示されているように、後羽根用駆動ばね２６が緩く嵌装されていて、一端を後羽根用駆動部材１９の図示していないばね掛け部に掛け、他端をラチェット車２０の図示していないばね掛け部にかけて、図１及び図２において、後羽根用駆動部材１９を時計方向へ回転させるように付勢している。そして、この後羽根用駆動ばね２６の付勢力も、ラチェット車２０を回転させ、ラチェット爪６ｂとの係合位置を変えることによって調整できるようになっている。
【００３９】
シャッタ地板１に立設されている上記の軸１ｈには、セット部材２７が回転可能に取り付けられている。このセット部材２７は、筒部２７ａと、押動部２７ｂ，２７ｃと、被押動部２７ｄと、凹部２７ｅとを有していて、筒部２７ａを軸１ｈに回転可能に嵌合させている。それらのうち、押動部２７ｂは、先羽根用第２駆動部材１７の被押動部１７ｂを押す部位であり、押動部２７ｃは、後羽根用駆動部材１９のローラー１９ｄを押す部位であって、被押動部２７ｄは、図示していないカメラ本体側の部材のよって押される部位である。
【００４０】
また、セット部材２７は筒部２７ａを形成している部位を含めて全体的に厚い板状に形成されており、上記の押動部２７ｂは、そこから軸１ｈ（即ち、筒部２７ａ）のラジアル方向へ張り出すように形成された肉薄部の先端の部位として形成されている。そのため、その肉薄部と、本体側の肉厚部との間には、段差面が形成されていることになるが、上記の凹部２７ｅは、シャッタ地板１側に形成されているその段差面を外周面として、軸１ｈの方へ向けて切り込むように長く形成されている。そして、その凹部２７ｅの両側の端面を第１押動面２７ｅ−１，第２押動面１７ｅ−２としている。尚、本実施例の場合は、このように、段差面を外周面として凹部２７ｅを形成しているが、上記の押動部２７ｂの形成位置をずらしたりして、肉厚部の外周面から切り込むように形成しても構わない。
【００４１】
更に、上記の筒部２７ａには、図示していない復帰ばねが、緩く嵌装されていて、その一端をセット部材２７の図示していないばね掛け部に掛け、他端を上記した支持板６のばね掛け部６ｃに掛けて、図１，図２，図４においてセット部材２７を反時計方向へ回転させるように付勢している。図１，図２，図４は、セット部材２７が、そのような復帰ばねの付勢力によって反時計方向へ回転するのを、シャッタ地板１側の面に設けられた図示していないピンが、シャッタ地板１に設けられた図示していないストッパ部に当接して、停止させられている状態を示したものである。以下、セット部材２７については、この位置を初期位置ということにする。
【００４２】
シャッタ地板１に立設されている上記の軸１ｉには、抑止部材２８が回転可能に取り付けられている。この抑止部材２８は、抑止部２８ａと、凸部２８ｂとを有している。そして、その抑止部２８ａは、セット部材２７が初期位置にあるときと、初期位置の近傍位置にあるとき以外は、先羽根用第１駆動部材１６の被抑止部１６ｂの作動軌跡内に臨まされている部位である。また、ラジアル方向へ長く突き出すようにして形成されている凸部２８ｂは、セット部材２７の凹部２７ｅ内で、上記の第１押動面２７ｅ−１に押されたり、第２押動面２７ｅ−２に押されたりし得る部位である。
【００４３】
次に、シャッタ地板１の背面側に配置されている先羽根と後羽根の構成を、主に図４を用いて説明する。尚、この図４のほか図５〜図９においては、図１及び図２に示されている支持板６と、プリント配線板７と、二つの電磁石と、二つのラチェット部材１８，２０と、二つの鉄片部材２１，２４と、二つの圧縮ばね２２，２５の図示を省略してあるが、上記したように、先羽根用電磁石の鉄芯部材１０と後羽根用電磁石の鉄芯部材１１だけは、二点鎖線で示してある。
【００４４】
そこで先ず、先羽根は、シャッタ地板１の背面側において、軸１ｆに対して回転可能に取り付けられているアーム２９と、軸１ｊに対して回転可能に取り付けられているアーム３０と、それらの先端部に向けて順に枢支された３枚の羽根３１，３２，３３とで構成されており、羽根３３が先羽根のスリット形成羽根となっている。そして、周知のように、先羽根用第１駆動部材１６の駆動ピン１６ｄの先端部が、アーム２９に形成された図示していない長孔に嵌合している。更に、シャッタ地板１の軸１ｊには、セットばね３４が嵌装されていて、その一端をシャッタ地板１に設けられた図示していないばね掛け部に掛け、他端をアーム３０の孔３０ａに掛けて、アーム３０を反時計方向へ回転させるように付勢している。
【００４５】
他方、後羽根は、シャッタ地板１の背面側において、軸１ｇに対して回転可能に取り付けられているアーム３５と、軸１ｋに対して回転可能に取り付けられているアーム３６と、それらの先端部に向けて順に枢支された３枚の羽根３７，３８，３９とで構成されており、羽根３９が後羽根のスリット形成羽根となっている。そして、後羽根用駆動部材１９の駆動ピン１９ｃの先端部が、周知のように、アーム３５に形成された図示していない長孔に嵌合している。更に、シャッタ地板１の軸１ｋには、ばね４０が嵌装されていて、その一端をシャッタ地板１に設けられた図示していないばね掛け部に掛け、他端をアーム３６の孔３６ａに掛けて、アーム３６を反時計方向へ回転させるように付勢している。尚、図３においては、先羽根の３枚の羽根３１〜３３と、後羽根の３枚の羽根３７〜３９の図示が省略されている。
【００４６】
次に、主に、図４〜図９を用いて本実施例の作動を説明する。図４は、図１に示した露光作動終了直後の停止状態を示している。このとき、先羽根用第２駆動部材１７は、先羽根用駆動ばね２３の付勢力によって、その押動部１７ｄが先羽根用第１駆動部材１６の被押動部１６ｃを押し、先羽根用第１駆動部材１６を伴って時計方向へ回転する力が与えられているが、先羽根用第１駆動部材１６の駆動ピン１６ｄが緩衝部材４に接触しているため、その回転が阻止され、この停止状態が維持されている。そして、このとき、先羽根の３枚の羽根３１〜３３は、重畳状態になって開口部１ａの下方位置に格納されている。
【００４７】
他方、後羽根用駆動部材１９は、後羽根用駆動ばね２６の付勢力によって時計方向へ回転する力が与えられているが、駆動ピン１９ｃが緩衝部材５に接触しているため、その回転が阻止され、この停止状態が維持されている。そして、このとき、後羽根の３枚の羽根３７〜３９は、展開状態になって開口部１ａを覆っている。
【００４８】
また、このとき、セット部材２７は初期位置にあり、凹部２７ｅの第２押動面２７ｅ−２が抑止部材２８の凸部２８ｂを押し、抑止部材２８の抑止部２８ａを、先羽根用第１駆動部材１６の被抑止部１６ｂの作動軌跡外にそらせている。そして、このとき、セット部材２７の一方の押動部２７ｂは、先羽根用第２駆動部材１７の被押動部１７ｂから離れており、他方の押動部２７ｃは、後羽根用駆動部材１９のローラー１９ｄから離れている。尚、図４は、抑止部材２８の凸部２８ｂが、セット部材２７の凹部２７ｅの第１押動面２７ｅ−１とは接触していて、第２押動面２７ｅ−２との間には若干の間隙があるように示されている。そのため、この状態のときには、抑止部材２８が、その間隙分だけ自由に回転し得るが、その間隙は極めて僅かであり、性能上には何ら影響を及ぼさない。
【００４９】
このような露光作動終了状態において、撮像情報が図示していない記憶装置に転送されると、直ちにセット作動が行われるが、本実施例のセット作動は、図示していないカメラ本体側の部材がセット部材２７の被押動部２７ｄを押し、図示していない復帰ばねの付勢力に抗してセット部材２７を時計方向へ回転させることによって行なわれる。そして、セット部材２７が回転を開始すると、抑止部材２８は、その凸部２８ｂがセット部材２７の凹部２７ｅの第１押動面２７ｅ−１に押されることによって反時計方向へ回転し、その抑止部２８ａを、先羽根用第１駆動部材１６の被抑止部１６ｂの作動軌跡内へ臨ませてゆく。
【００５０】
このようにして、セット部材２７と抑止部材２８が回転を開始すると、その後、先ず、セット部材２７の押動部２７ｂが先羽根用第２駆動部材１７の被押動部１７ｂを押し、先羽根用第２駆動部材１７を先羽根用駆動ばね２３の付勢力に抗して反時計方向へ回転させ始める。このとき、先羽根用第１駆動部材１６には、セットばね３４により、先羽根を介して反時計方向へ回転する力が与えられているため、先羽根用第１駆動部材１６も、その被押動部１６ｃが先羽根用第２駆動部材１７の押動部１７ｄに追従して、反時計方向へ回転し、先羽根の３枚の羽根３１〜３３を展開させながら上方へ移動させ始める。
【００５１】
そのため、それ以後は、上記のようにセット部材２７によって反時計方向へ回転させられている抑止部材２８の抑止部２８ｂと、このようにして反時計方向への回転を開始させられた先羽根用第１駆動部材１６の被抑止部１６ｂとの間の距離が、徐々に短くなっていくことになる。そして、このような先羽根用第１駆動部材１６の反時計方向への回転によって、先羽根のスリット形成羽根３３が開口部１ａを覆い始め、後羽根のスリット形成羽根３９との重なり量が所定量に達すると、セット部材２７のもう一方の押動部２７ｃが後羽根用駆動部材１９のローラー１９ｄを押し始める。
【００５２】
それによって、後羽根用駆動部材１９も、後羽根用駆動ばね２６の付勢力に抗して、反時計方向への回転を開始するので、後羽根用駆動部材１９の駆動ピン１９ｃが後羽根のアーム３５を反時計方向へ回転させ、後羽根の３枚の羽根３７〜３９を重畳させながら上方へ移動させ始める。そのため、その後は、先羽根の３枚の羽根３１〜３３は隣接する羽根同士の重なり量を小さくしながら、また、後羽根の３枚の羽根３７〜３９は隣接する羽根同士の重なり量を大きくしながら、共に上方へ移動していくことになるが、図５は、そのようにして、両方のスリット形成羽根３３，３９の重なり部が、開口部１ａの略中間位置まで達した状態を示したものである。
【００５３】
また、この図５の状態は、抑止部材２８の抑止部２８ａと、先羽根用第１駆動部材１６の被抑止部１６ｂとが、両者間の距離を短くしてきて、まさに接触した状態でもある。ところで、セット部材２７を時計方向へ回転させる力は、セットばね３４の付勢力よりもかなり大きい。そのため、この状態になってからは、セットばね３４の付勢力に抗して、抑止部２８ａが被抑止部１６ｂを押し始めることになる。従って、先羽根用第２駆動部材１７と後羽根用駆動部材１９は、これまでどおりセット部材２７によって反時計方向へ回転させられていくが、先羽根用第１駆動部材１６は、時計方向へ逆転させられていくことになり、先羽根の３枚の羽根３１〜３３は、隣接する羽根同士の重なりを大きくしつつ、開口部１ａの下方位置へ逆戻りさせられる。
【００５４】
そのため、図５の状態になった後は、先羽根のスリット形成羽根３３と後羽根のスリット形成羽根３９との重なり量が少なくなってゆき、やがて、開口部１ａの略中央から上下方向へ向けて開口部１ａを開いていく。そして、開口部１ａを半分以上開いた状態が図６に示されている。このような開き作動は、その後も続けられてゆくが、その後、先羽根のスリット形成羽根３３が、開口部１ａから下方へ退き、後羽根のスリット形成羽根３９が開口部１ａの上方へ退くと、開口部１ａは全開になる。
【００５５】
このようにして、開口部１ａが全開になると、先羽根用第２駆動部材１７と後羽根用駆動部材１９に取り付けられている鉄片部材２１，２４の鉄片部２１ｃ，２４ｃが、相前後して先羽根用電磁石と後羽根用電磁石の鉄芯部材１０，１１の磁極部に接触する。そして、セット部材２７は、その後も僅かに回転したところで停止させられるので、先羽根用第２駆動部材１７と後羽根用駆動部材１９が停止したときには、鉄片部材２１，２４の鉄片部２１ｃ，２４ｃは、圧縮ばね２２，２５の付勢力に抗して、取付部１７ｃ，１９ｂ内に押し込まれ、反対側の頭部２１ｂ，２４ｂが取付部１７ｃ，１９ｂから離れているようになる。
【００５６】
このようなセット部材２７の停止状態が、図７に示されたセット完了状態であり、セット部材２７は、次の撮影が行われるまで、このセット位置に留まっている。しかも、この状態においては、開口部１ａが全開になっているので、カメラの電源をオンにしておけば、被写体像を、電子ファインダで観察することが可能になる。
【００５７】
ところで、本実施例のセット部材２７に形成されている凹部２７ｅは、筒部２７ａの形成部位を中心とした肉厚部と、押動部２７ｂを形成している肉薄部との段差面を外周面とし、略筒部２７ａに向けて切り込むように長く形成されている。そして、図４に示された露光作動終了直後の状態においては、抑止部材２８の凸部２８ｂは、その凹部２７ｅ内に入っていたが、セット作動の過程で、第１押動面２７ｅ−１との間のカム作用によって、凹部２７ｅから徐々に押し出され、図７に示されたセット完了状態においては、完全に押し出された状態になっている。つまり、セット完了状態においては、セット部材２７は、凹部２７ｅの第１押動面２７ｅ−１が凸部２８ｂを押しているのではなく、上記の段差面が凸部２８ｂを押していることによって、抑止部材２８に、先羽根用第１駆動部材１６の回転を抑止させている。
【００５８】
しかしながら、本発明は、このような構成に限定されない。即ち、関係する各構成部材のセット作動に要する回転角度やそれらの構成部材の配置位置関係などによって、凹部２７ｅと凸部２８ｂについては、本実施例以外の種々の形状が考えられる。例えば、セット完了状態においても、セット部材２７は、凹部２７ｅの第１押動面２７ｅ−１によって凸部２８ｂを押しているようにすることが可能であるし、第１押動面２７ｅ−１と上記の段差面との境界部位で押しているようにすることも可能である。そのため、それらのようにしたものも、本発明の構成である。
【００５９】
次に、このようなセット状態において、カメラのレリーズボタンが押された場合の作動を説明する。カメラのレリーズボタンが押されると、実際に撮影（露光作動）が開始する前に、先ず、先羽根用電磁石と後羽根用電磁石のコイル１２，１３に通電され、それらの電磁力によって、鉄片部材２１，２４が鉄芯部材１０，１１に吸着保持される。次に、図示していないカメラ本体側の部材が、セット部材２７の被押動部２７ｄに対する押圧力を解くので、セット部材２７は、図示していない復帰ばねの付勢力によって反時計方向へ回転させられ、初期位置へ復帰させられていく。
【００６０】
そして、その復帰作動の初期段階で、セット部材２７は、その押動部２７ｂが先羽根用第２駆動部材１７の被押動部１７ｂから離れ、押動部２７ｃが後羽根用駆動部材１９のローラー１９ｄから離れる。また、抑止部材２８は、その抑止部２８ａが、セットばね３４によって間接的に付勢されている先羽根用第１駆動部材１６の被抑止部１６ｂに押されることによって、セット部材２７に追従しながら時計方向へ回転し、凸部２８ｂを、セット部材２７の凹部２７ｅ内に入り込ませていく。また、抑止部材２８の回転と並行して、先羽根の３枚の羽根３１〜３３は上方へ移動を開始し、開口部１ａを覆い始める。そのときの状態が図８に示されている。
【００６１】
このようにして図８の状態になったときには、セット部材２７の押動部２７ｂが先羽根用第２駆動部材１７の被押動部１７ｂから離れたことにより、また、セット部材２７の押動部２７ｃが後羽根用駆動部材１９のローラー１９ｃから離れたことによって、先羽根用第２駆動部材１７と後羽根用駆動部材１９とは、図７に示されたセット位置よりも、各々の駆動ばね２３，２６の付勢力と圧縮ばね２２，２５の付勢力とによって僅かに時計方向へ回転させられており、それらの取付部１７ｃ，１９ｂを鉄片部材２１，２４の頭部２１ｂ，２４ｂに接触させた状態になっている。そのため、この図８に示された位置が、先羽根用第２駆動部材１７と後羽根用駆動部材１９にとっての露光作動開始位置であり、後羽根にとっての露光作動開始位置ということになる。
【００６２】
尚、周知のように、後羽根は、連結軸部材を用いて、二つのアーム３５，３６に３枚の羽根３７〜３９を、合計６箇所で回転可能に取り付けている。そのため、それらの取付け箇所の公差に起因して各羽根にガタツキが生じ、特に、露光作動開始位置におけるスリット形成羽根３９の姿勢が定まらなくなって、露光時間を安定して得ることができなくなってしまうようになる。そこで、本実施例では、後羽根用駆動ばね２６よりも付勢力が小さく、通称、ガタ寄せばねといわれているばね４０によって、アーム３６を常に反時計方向へ回転するように付勢（ガタ寄せ）し、そのようなガタツキによる影響を生じないようにしている。
【００６３】
セット部材２７が、図８に示されている状態からさらに反時計方向へ回転し、先羽根の３枚の羽根３１〜３３が、開口部１aを完全に覆うころになると、抑止部材２８は、抑止部２８ａが、被抑止部１６ｂの作動軌跡外へ押し出される状態になる。ところが、そのころには、セット部材２７の回転によって、凹部２７ｅの第２押動面２７ｅ−２が、凸部２８ｂに近接してきているため、それ以後は、第２押動面２７ｅ−２が凸部２８ｂを押し、両者間のカム作用によって、抑止部材２８を時計方向へ回転させるようになる。そして、被抑止部１６ｂが抑止部２８ａから離れると、先羽根用第１駆動部材１６は、それまでよりも速く回転し、被押動部１６ｃが先羽根用第２駆動部材１７の押動部１７ｄに当接して停止する。図９は、その後、セット部材２７が初期位置に復帰して停止した状態を示したものであり、このときの位置が先羽根用第１駆動部材１６と先羽根にとっての露光作動開始位置である。
【００６４】
尚、本実施例は、先羽根の場合も、二つのアーム２９，３０に対し、３枚の羽根３１〜３３を、連結軸部材を介して合計６箇所で回転可能に取り付けている。そのため、上記した後羽根の場合と同様に、露光作動開始位置においてスリット形成羽根３３の姿勢が定まらなくなり、所定の露光時間が安定して得られなくなってしまうことがある。しかし、本実施例の場合には、セットばね３４が、上記のように先羽根用第１駆動部材１６と先羽根とを、露光作動開始位置へ作動させる役目をしているほかに、上記のばね４０と同じようにガタ寄せの役目もしている。
【００６５】
また、まれにではあるが、カメラの製作段階だけではなく、製作後の使用段階においても、カメラ本体側の制御系の誤動作によって、図９に示された状態において、セット部材２７が、時計方向へ回転させられてしまうようなことがある。そして、そのよう事態が発生すると、本実施例のような構成の場合には、抑止部材２８の抑止部２８ａが、かなり大きな力で、先羽根用第１駆動部材１６の被抑止部１６ｂの近傍部位に当接させられ、押し付けられることになる。
【００６６】
そのような場合、上記の近傍部位の形状が、抑止部２８ａに当接されたときの力の作用方向が軸１ｆを通るように形成されていると、抑止部材２８の抑止部２８ａや凸部２８ｂが、変形させられたり、破壊されたりしてしまうようになる。また、上記の近傍部位の形状が、抑止部２８ａに当接されたときの力によって先羽根用第１駆動部材１６が反時計方向へ回転させられるように形成されていると、先羽根用第１駆動部材１６は反時計方向へは僅かしか回転し得ない状態にあるので、やはり、抑止部材２８の抑止部２８ａや凸部２８ｂが、変形させられたり、破壊されたりしてしまうようになる。
【００６７】
ところが、本実施例の場合には、上記の近傍部位の形状が、抑止部２８ａに当接されたときの力によって先羽根用第１駆動部材１６が時計方向へ回転させられるように形成されているため、そのような事態が生じても、先羽根用第１駆動部材１６は、セットばね３４の付勢力に抗して充分に回転し得ることになる。そのため、抑止部材２８の抑止部２８ａや凸部２８ｂが、変形させられたり、破壊されたりしないので、シャッタを修理したり交換したりしないで済むことになる。
【００６８】
図９に示されているように、セット部材２７が初期位置で停止すると、先ず、先羽根用電磁石のコイル１２に対する通電が断たれ、所定時間後に後羽根用電磁石のコイル１３に対する通電が断たれる。そこで先ず、先羽根用電磁石のコイル１２に対する通電が断たれると、鉄片部材２１に対する鉄芯部材１０の吸引力が失われ、先羽根用第２駆動部材１７が、先羽根用駆動ばね２３の付勢力によって時計方向へ急速に回転させられる。それによって、先羽根用第２駆動部材１７は、押動部１７ｄが被押動部１６ｃを押し、先羽根用第１駆動部材１６を、セットばね３４の付勢力に抗して時計方向へ回転させる。そのため、先羽根の３枚の羽根３１〜３３は、隣接する羽根同士の重なりを大きくしながら下方へ移動し、スリット形成羽根３３の上端縁で開口部１ａを開放していく。
【００６９】
他方、後羽根用電磁石のコイル１３に対する通電が断たれると、鉄片部材２４に対する鉄芯部材１１の吸引力が失われ、後羽根用駆動部材１９が、後羽根用駆動ばね２６の付勢力によって時計方向へ急速に回転させられる。そのため、後羽根の３枚の羽根３７〜３９は、隣接する羽根同士の重なりを小さくしながら下方へ移動してゆき、スリット形成羽根３９の下端縁で開口部１ａを覆っていく。そのため、それ以後は、先羽根と後羽根が、それらのスリット形成羽根３１，３９の間に形成したスリットにより、撮像素子の撮像面を上から下へ連続的に露光していくことになる。
【００７０】
そして、そのような露光作動の最終段階になると、最初に、先羽根用第１駆動部材１６の駆動ピン１６ｄが緩衝部材４に当接して、先羽根用の二つの駆動部材１６，１７と先羽根の作動が停止させられ、次に、後羽根用駆動部材１９の駆動ピン１９ｃが緩衝部材５に当接して、後羽根用駆動部材１９と後羽根の作動も停止させられる。作動説明の最初に参照した図４は、そのようにして行われた露光作動の終了直後の状態を示したものであって、その後、ＣＣＤ等の撮像装置から、情報処理回路を介して、撮像情報を記憶装置に転送すると、撮影が終了したことになる。
【００７１】
ところで、上記の作動説明からも分かるように、抑止部材２８は、セット部材２７が初期位置にあるとき、即ち図４，図９の状態にあるときに、最も時計方向へ回転した状態になっている。このとき、仮に、抑止部材２８が、特許文献１における実施例１のように二股状の係合部（２８ｂ）を有していると、本実施例の場合よりも、開口部１ａ側に大きな作動スペースが必要になる。しかも、特許文献１における実施例１の場合には、セット部材（２７）に設けられているピン状の突起部（２７ｅ）が変形や破壊をし易いので、それを防ぐために、突起部（２７ｅ）の直径を大きくしようとすると、抑止部材（２８）も開口部（１ａ）側に大きくせざるを得なくなって、やはり、その分だけ、大きな作動スペースが必要になってくる。しかし、本実施例におけるセット部材２７と抑止部材２８との連動構成によれば、特許文献１における実施例２の構成のように、抑止部材２８にばねを掛ける必要がなく、しかも、抑止部材２８を大きくすることなく、所定の作動が得られるようになっている。
【００７２】
尚、本実施例の場合、セット作動は、上記のように、セット部材２７が、被押動部２７ｄをカメラ本体側の部材に直接押され、図示していない復帰ばねの付勢力に抗して回転させられることによって行われるが、本発明は、そのような構成に限定されない。周知のように、シャッタ地板１に、カメラ本体側の部材によって操作されるもう一つのセット用の部材を取り付けて置き、セット部材２７は、その部材を介して回転させられるように構成してもよく、その場合には、セット部材２７を初期位置へ復帰させるばねは、本実施例のように、セット部材２７に掛けてもよいが、そのようなもう一つの部材に掛けても構わない。
【００７３】
ところで、既に述べたように、本発明は、係止タイプのフォーカルプレンシャッタとして実施することも可能であるし、ダイレクトタイプのフォーカルプレンシャッタとして実施することも可能である。そして、上記した実施例１の場合は、ダイレクトタイプのフォーカルプレンシャッタとして構成したものである。ところが、係止タイプのフォーカルプレンシャッタとして構成する場合については、図面を用いて詳しく説明するまでもないと考えるので、ここで、実施例１の構成を、そのような構成にする場合を、簡単に説明しておく。尚、当然のことながら、ここで行う説明は、その後に説明する実施例２の場合にも言えることである。
【００７４】
先ず、先羽根用第２駆動部材１７と後羽根用駆動部材１９には、本実施例のように鉄片部材２１，２４を取り付けず、それに代わって各々被係止部を形成しておく。そして、図７のセット完了状態においては、それらの駆動部材１７，１９は、それらの被係止部が夫々の係止部材に係止される位置を越えるところまで回転されているようにしておき、カメラのレリーズボタンが押され、本実施例のようにセット部材２７が初期位置へ復帰するときの初期段階で、夫々の係止部材に係止されるようにする。そして、その後、セット部材２７が初期位置へ復帰するまでの作動は、上記の実施例１の場合と全く同じである。
【００７５】
他方、上記の各係止部材の係止を解除するために設けられている二つの係止解除部材は、セット部材２７が、上記のようにして、初期位置へ復帰作動を開始する前に、夫々のばねの付勢力に抗して、先羽根用電磁石と後羽根用電磁石に吸着保持されている。そして、その後、セット部材２７が、上記のように作動して、図９に示された初期位置へ復帰すると、上記の各電磁石に対する通電を順に断つ。それにより、上記の各係止解除部材は、上記の各々のばねの付勢力で作動し、上記の各係止部材による係止を解除するので、先羽根用第２駆動部材１７と後羽根用駆動部材１９は、順に露光作動を開始する。そして、セット作動時には、セット部材２７に連動して、上記の二つの係止解除部材が、各々の電磁石に対して接触させられるようにする。尚、このような作動が得られるようにするための構成は種々知られているが、その一例が、特開２００１−２１５５５５号公報に記載されている。
【実施例２】
【００７６】
次に、実施例２を説明するが、既に述べたように、本実施例の構成は、実施例１の場合と殆ど同じである。また、その作動も、実施例１の場合と殆ど同じである。しかしながら、連写を行うことの可能なカメラに採用する場合には、実施例１の構成よりも遥かに有利な構成となっている。そのため、本実施例の構成については、実施例１の場合と異なる点だけを、図１０を用いて説明することにし、また、連写をする場合には、実施例１の場合よりも如何に有利であるかを、図１１〜図１３を用いて説明する。尚、図１０は、実施例１の場合の図８に対応した状態を示したものである。
【００７７】
図１０に示されているように、本実施例の場合は、セット部材２７と抑止部材２６の形状が、実施例１の場合と一部異なっているだけである。先ず、本実施例のセット部材２７には係合部２７ｆが形成されている。この係合部２７ｆは、長さ方向の一方の側面を、実施例１で説明した凹部２７ｅの第１押動面２７ｅ−１とし、先端面を、第１押動面２７ｅ−１に隣接して形成された弧状面としている。また、その弧状面は、１８０度を超え且つ凡そ２７０度以下の角度範囲にわたって形成されている。そして、本実施例の場合には、その弧状面は、セット部材２７の肉厚部と肉薄部との段差面となっている。しかし、実施例１の説明において、凹部２７ｅの形状について述べたように、この弧状面の場合にも、押動部２７ｂの形成形態によっては、セット部材２７の本来の外周面に形成しても構わない。セット部材２７のその他の形状は、実施例１の場合と同じである。
【００７８】
また、本実施例の抑止部材２８には、実施例１で説明した凸部２８ｂのほか、その凸部２８ｂに隣接して、もう一つの短い凸部２８ｃが形成されている。そして、この短い凸部２８ｃは、図１０に示された状態では、凸部２８ｂとは略反対側において、その先端が上記の弧状面に接し得るようになっている。抑止部材２８のその他の形状は、実施例１の場合と同じである。尚、図１０だけでは分かりにくいが、実施例１の説明に用いた図４〜図９に対応する状態を想定してみれば分かるように、短い方の凸部２８ｃは、図４，図７，図９に対応する状態では、係合部２７ｆの弧状面に接触しておらず、図５，図６，図８に対応する状態では、接触していることになる。即ち、セット部材２７が、初期位置とセット位置にあるときには、接触していないが、それらの間の殆どの途中位置にあるときには、接触していることになる。
【００７９】
本実施例は、このように構成されているので、図４及び図９に対応した状態、即ち、セット部材２７が初期位置にあるときには、凸部２８ｃは、セット部材２７の係合部２７ｆの略真下方向の位置に離れて存在していることになる。言い換えれば、図４及び図９に対応した状態においては、凸部２８ｃは、抑止部材２８から開口部１ａ側に張り出した状態にはならないように形成されているわけである。そのため、特許文献１における実施例１の構成よりも、開口部１ａ側のスペースを有効に活用できるようになっている。
【００８０】
次に、このような構成をしていると、連写を行う場合には、実施例１のように構成したものよりも有利であることを説明する。そこで先ず、実施例１の構成のシャッタで連写をした場合に発生する可能性のある問題点を、図１２及び図１３を用いて説明する。尚、図１２は、セット部材２７が、図１０に対応した状態にあるとき、言い換えれば、図８の状態にあるときの状態を示したものであるが、先羽根用第１駆動部材１６と抑止部材２８の回転位置は、図８に示された状態とは異なっている。つまり、この図１２は、実施例１のシャッタで連写を行った場合には、このような状態になることがあり得ることを示したものである。
【００８１】
そこで、連写を行った場合には、どうして図１２に示された状態になることがあり得るのかを説明する。実施例１で説明したように、図８の状態から図９の状態になると、先羽根と後羽根による露光作動が終了し、図４に示された状態になる。このとき、先羽根用第１駆動部材１６は、先羽根用第２駆動部材１７によって、駆動ピン１６ｄを緩衝部材４に当接させ押し付けられるので、駆動ピン１６ｄが緩衝部材４に当接した衝撃で、僅かにバウンドの繰り返しを行ったとしても、比較的早期に静止するようになる。
【００８２】
ところが、駆動ピン１６ｄとアーム２９との連結部、及び二つのアーム２９，３０と二つの軸１ｆ，１ｊとの連結部、並びに二つのアーム２９，３０と３枚の羽根３１，３２，３３との連結部には、夫々公差が設けられているので、たとえ先羽根用第１駆動部材１６が静止したとしても、先羽根は、駆動ピン１６ｄが緩衝部材４に当接したときの衝撃で、大きな振動を起こすことになる。勿論、それに対する対策は、別に講じているとはいうものの、その振動は、先羽根用第１駆動部材１６が静止したあとも続くことになる。
【００８３】
連写を行う場合には、このような先羽根の振動状態が続いている間にも、セット部材２７は、初期位置からセット位置まで回転させられた後、直ちに初期位置へ復帰させられることになる。そして、セット部材２７が、再び図８に示された状態になったとき、たまたま、先羽根の振動が続いていて、その振動に起因する力が、先羽根用第１駆動部材１６を、セットばね３４の付勢力に抗して時計方向へ回転させるように作用していると、抑止部材２８は、図８に示されているように、凸部２８ｂが凹部２７ｅ内に充分に入り込んだ状態にならず、図１２に示されているように、セット部材２７の第２押動面２７ｅ−２と外周面との境界近傍部位が、凸部２８ｂの先端に当接してしまうような状態になってしまうことがある。そして、凸部２８ｂの先端が、外周面側に傾斜している部位に当接した場合には、抑止部材２８は、図９の状態になるように時計方向へ回転することができなくなり、セット部材２７が初期位置へ復帰したときには、図１３に示された状態になってしまう。
【００８４】
ところが、本実施例の場合には、セット部材２７と抑止部材２８とが、上記のように構成されているので、セット部材２７が、図８に対応する図１０に示された状態になったとき、たとえ先羽根用第１駆動部材１６が図１２に示された状態と同じ状態になっていたとしても、凸部２８ｃが係合部２７ｆの弧状面に接触していて、図１１に示されているように、凸部２８ｂが凹部２７ｅ内に完全に入り込んでいるので、抑止部材２８は、セット部材２７の初期位置への復帰に伴い、確実に時計方向へ回転し得るようになる。
【００８５】
尚、実施例１の場合にも、部品の加工精度や組立精度を高くすれば、このような問題が生じにくいようにすることが可能である。しかしながら、コストのことを考えると、そのようにするよりも本実施例の方が遥かに有利である。また、本実施例の場合においては、抑止部材２８の凸部２８ｃは、セット部材２７が、セット位置と初期位置以外の殆どの位置で、係合部２７ｆの弧状面に接しているようにしているが、上記の説明からも分かるように、問題を発生させ易い状態のとき、即ち、セット部材２７が、少なくとも初期位置とセット位置との略中間よりも初期位置側にあるときに、弧状面に接しているようにすればよく、必ずしも、実施例のとおりである必要はない。
【００８６】
以上のように、本実施例については、実施例１との差異だけを説明したが、その他の構成は実施例１の場合と全く同じであるし、その他の作動も実施例１の場合に準じて行われるので、それらについての説明は省略する。尚、本実施例の場合には、全ての作動工程にわたってではないとはいうものの、抑止部材２８の二つの凸部２８ｂ，２８ｃが、セット部材２７の係合部２７ｆの、弧状面を形成した先端の部位を挟むように構成されている。しかしながら、本実施例の係合部２７ｆは、特許文献１の実施例１における突起部（２７ｅ）のようにピン状には形成されておらず、弧状面を形成した先端の部位と第１押動面１７ｅ−１を形成している細長い部位とからなっているので、その細長い部位が補強の役目をしていて、先端の部位が変形させられたり破壊させられたりするようなことがない。
【符号の説明】
【００８７】
１                                  シャッタ地板
１ａ，２ａ，３ａ                    開口部
１ｂ，１ｃ，３ｂ，３ｃ              長孔
１ｄ，１ｅ，１ｆ，１ｇ，１ｈ，１ｉ，１ｊ,１ｋ  軸
２                                  中間板
３                                  補助地板
４，５                              緩衝部材
６                                  支持板
６ａ，６ｂ                          ラチェット爪
６ａ−１，６ａ−２，６ｂ−１，６ｂ−２  爪部
６ｃ                                ばね掛け部
７                                  プリント配線板
８，９                              ねじ
１０，１１                          鉄芯部材
１２，１３                          コイル
１４，１５                          ボビン
１６                                先羽根用第１駆動部材
１６ａ，１７ａ，１９ａ，２７ａ      筒部
１６ｂ                              被抑止部
１６ｃ，１７ｂ，２７ｄ              被押動部
１６ｄ，１９ｃ                      駆動ピン
１７                                先羽根用第２駆動部材
１７ｃ，１９ｂ                      取付部
１７ｄ，２７ｂ，２７ｃ              押動部
１８，２０                          ラチェット部材
１８ａ，１８ｂ，２０ａ，２０ｂ      ラチェット歯
１９                                後羽根用駆動部材
１９ｄ                              ローラー
２１，２４                          鉄片部材
２１ａ，２４ａ                      軸部
２１ｂ，２４ｂ                      頭部
２１ｃ，２４ｃ                      鉄片部
２２，２５                          圧縮ばね
２３                                先羽根用駆動ばね
２６                                後羽根用駆動ばね
２７                                セット部材
２７ｅ                              凹部
２７ｅ−１                          第１押動面
２７ｅ−２                          第２押動面
２７ｆ                              係合部
２８                                抑止部材
２８ａ                              抑止部
２８ｂ，２８ｃ                      凸部
２９，３０，３５，３６              アーム
３１，３２，３３，３７，３８，３９  羽根
３４                                セットばね
４０                                ばね
【図１】
0005411745.tif 000002
【図２】
0005411745.tif 000003
【図３】
0005411745.tif 000004
【図４】
0005411745.tif 000005
【図５】
0005411745.tif 000006
【図６】
0005411745.tif 000007
【図７】
0005411745.tif 000008
【図８】
0005411745.tif 000009
【図９】
0005411745.tif 000010
【図１０】
0005411745.tif 000011
【図１１】
0005411745.tif 000012
【図１２】
0005411745.tif 000013
【図１３】
0005411745.tif 000014